(57)【要約】【課題】臨床検査システムにおいて、１の分析システムで撮影された画像を他の分析システムで参照するときの、各分析システムにおける負担を抑えること。【解決手段】臨床検査システム５００は、第１分析システム１０、第２分析システム２０、第３分析システム３０、および、第４分析システム４０を含む。第１分析システム１０は、試料を撮影することによって生成した部分画像および合成画像の中から、予め定められた条件に従って選択された画像を、サーバ９０を介して、総合システム５０に送信する。【選択図】図１
2015118608.tif 000002
【特許請求の範囲】
【請求項１】
臨床検査システムにおいて他の装置と通信可能な画像処理装置によって実行される画像処理方法であって、
被検体について２以上の画像を撮影するステップと、
前記撮影した画像から前記他の装置に送信する画像を選択するステップと、
前記選択された画像を前記他の装置へ送信するステップとを備える、画像処理方法。
【請求項２】
前記２以上の画像を合成することによって合成画像を生成するステップをさらに備え、
前記選択するステップは、前記２以上の画像および前記合成画像の中から、前記他の装置に送信する画像を選択することを含む、請求項１に記載の画像処理方法。
【請求項３】
前記２以上の画像および前記合成画像の中から、前記他の装置に送信する画像を選択することは、少なくとも前記合成画像を、前記他の装置に送信する画像として選択することを含む、請求項２に記載の画像処理方法。
【請求項４】
前記選択するステップは、前記２以上の画像の中から、特定の成分を含む画像を、前記他の装置に送信する画像として選択することを含む、請求項１〜請求項３のいずれか１項に記載の画像処理方法。
【請求項５】
前記撮影するステップにおいて撮影された画像は、患者を特定する情報に関連付けられており、
前記患者には、成分が関連付けられており、
前記選択するステップは、少なくとも、前記撮影するステップにおいて撮影された画像に関連付けられた患者に関連付けられた成分以外の成分を含む画像を、前記他の装置に送信する画像として選択するように構成されている、請求項１〜請求項３のいずれか１項に記載の画像処理方法。
【請求項６】
画像を選択するための情報の入力を受け付けるステップをさらに備え、
前記他の装置に送信する画像を選択することは、前記入力を受け付けた条件に基づいて画像を選択することを含む、請求項１〜請求項５のいずれか１項に記載の画像処理方法。
【請求項７】
請求項１〜請求項６のいずれか１項に記載の画像処理方法を実行する、画像処理装置。
【請求項８】
請求項７に記載の画像処理装置を備える、臨床検査システム。
【請求項９】
臨床検査システムにおいて他の装置と通信可能な画像処理装置のコンピュータに画像処理方法を実現させるための、コンピュータ読み取り可能なプログラムであって、
前記コンピュータに実行されることにより、前記画像処理装置に、請求項１〜請求項６のいずれか１項に記載の画像処理方法を実現させるための処理を実行させる、プログラム。
【発明の詳細な説明】
【技術分野】
【０００１】
本開示は、画像処理方法、画像処理装置、臨床検査システム、およびプログラムに関し、特に、液体試料中有形成分の分析用の画像を処理するための画像処理方法、画像処理装置、臨床検査システム、およびプログラムに関する。
【背景技術】
【０００２】
生体試料中の有形成分の分析を自動で行う分析装置が開発され、臨床の場で利用されている。たとえば、特許文献１には、透光板上もしくはフローセル中の被検液を撮像する撮像手段を備える尿中有形成分分析装置が開示されている。当該撮像手段は、尿中の有形成分に焦点を自動に合わせる自動合焦機能を装備する。これにより、当該尿中有形成分分析装置は、精密性および正確性の高い尿中有形成分の分類が可能である。
【０００３】
上記のような尿中有形成分分析装置による分析は、被検液中の有形成分の量が極めて少ないため、用手検査と同程度の正確性・精密性を保証するために、多数の画像を撮影して解析する必要がある。このため、多くの時間と労力とが必要とされる。
【０００４】
尿中有形成分分析装置における時間と労力の削減のための方法の一つとして、特許文献２に開示された方法が挙げられる。当該方法では、有形成分を含む非濃縮被検体について、当該被写体の部分画像が互いに撮影範囲を重複させないように複数枚撮影される。そして、当該複数枚の部分画像のそれぞれは、背景色を除くように処理される。背景色を除かれた複数枚の部分画像が、重ね合わされる。そして、当該重ね合わされた画像が、除かれた背景色と合成されることにより、目視検査用の画像（合成画像）が作成される。
【先行技術文献】
【特許文献】
【０００５】
【特許文献１】特許第４０８５２９７号公報
【特許文献２】特許第４０８５３３８号公報
【発明の概要】
【発明が解決しようとする課題】
【０００６】
しかし、上記の分析では、多数の部分画像に加えて、上記合成画像が取り扱われる。これにより、１検体あたりで取り扱われるデータのサイズが非常に大きくなってしまう。
【０００７】
画像解析を行なう臨床検査には、胸部Ｘ線分析などのように、１検体あたり１枚または比較的数の少ない画像を取り扱うものもあれば、上記した尿沈さ分析などのように、１検体ごとに比較的多数の画像を取り扱うものもある。
【０００８】
一般に、臨床検査の現場では、複数の分析システムが稼働しており、これらは上位のシステムによって統括される。これらのシステムをまとめて臨床検査システムと呼ぶ場合、当該臨床検査システムでは、１つの分析システムにおいて得られた画像が、当該分析システム内でのみ扱われる場合もあれば、上位のシステムまたは他の分析システムで取り扱われる場合もある。
【０００９】
１つの分析システムにおいて得られた画像が他のシステムによって取り扱われる場合、１つの分析システムにおいて得られた比較的多数の画像が上位のシステムに送られると、上位のシステムに多量のデータが送信されることとなり、上位のシステムに負担がかかることとなる。一方、多数の画像の他のシステムへの送信を回避するために、第１のシステムが所有する画像を第２のシステムから参照させる場合、当該第１のシステムが利用されていない時間帯にも当該第１のシステムの電源をＯＮしておく必要がある。しかしながら、臨床検査システムにおいて、各システムが別の団体によって利用されている場合、利用時間外に各システムを稼働させることが難しい場合も考えられる。
【００１０】
本開示は、かかる実情に鑑み考え出されたものであり、その目的は、臨床検査システムにおいて、１のシステムで撮影された画像を他のシステムで参照する場合の、各システムにおける負担の抑えることである。
【課題を解決するための手段】
【００１１】
本開示のある局面に従うと、画像処理方法が提供される。画像処理方法は、臨床検査システムにおいて他の装置と通信可能な画像処理装置によって実行される画像処理方法であって、被検体について２以上の画像を撮影するステップと、撮影した画像から他の装置に送信する画像を選択するステップと、選択された画像を他の装置へ送信するステップとを備える。
【００１２】
好ましくは、画像処理方法は、２以上の画像を合成することによって合成画像を生成するステップをさらに備え、選択するステップは、２以上の画像および合成画像の中から、他の装置に送信する画像を選択することを含む。
【００１３】
好ましくは、２以上の画像および合成画像の中から、他の装置に送信する画像を選択することは、少なくとも合成画像を、他の装置に送信する画像として選択することを含む。
【００１４】
好ましくは、選択するステップは、２以上の画像の中から、特定の成分を含む画像を、他の装置に送信する画像として選択することを含む。
【００１５】
好ましくは、撮影するステップにおいて撮影された画像は、患者を特定する情報に関連付けられており、患者には、成分が関連付けられており、選択するステップは、少なくとも、撮影するステップにおいて撮影された画像に関連付けられた患者に関連付けられた成分以外の成分を含む画像を、他の装置に送信する画像として選択するように構成されている。
【００１６】
好ましくは、画像処理方法は、画像を選択するための情報の入力を受け付けるステップをさらに備え、他の装置に送信する画像を選択することは、入力を受け付けた条件に基づいて画像を選択することを含む。
【００１７】
本開示の他の局面に従うと、上記の画像処理方法を実行する画像処理装置が提供される。
【００１８】
本開示のさらに他の局面に従うと、上記画像処理装置を備える臨床検査システムが提供される。
【００１９】
本開示の別の局面に従うと、コンピュータ読み取り可能なプログラムが提供される。当該プログラムは、臨床検査システムにおいて他の装置と通信可能な画像処理装置のコンピュータに画像処理方法を実現させるための、コンピュータ読み取り可能なプログラムであって、コンピュータに実行されることにより、画像処理装置に上記画像処理方法を実現させるための処理を実行させる。
【発明の効果】
【００２０】
本開示によれば、臨床検査システムにおいて他の装置に画像を送信する画像処理装置は、当該画像処理装置において撮影された画像の中から、選択手段によって選択されたものを、他の装置へ送信する。
【００２１】
これにより、臨床検査システムは、１の画像処理装置が撮影した画像を、当該画像処理装置の常時稼働させておくことなく、共有することができる。また、当該画像の供給により送受信される画像の量を抑えることができる。
【図面の簡単な説明】
【００２２】
【図１】臨床検査システムの構成を概略的に示す図である。
【図２】部分画像の一例を説明するための図である。
【図３】部分画像および合成画像の関係の一例を説明するための図である。
【図４】第１分析システムの画像処理装置のハードウェア構成の一例を示す図である。
【図５】成分データベースの構成の一例を模式的に示す図である。
【図６】表示部における表示例を示す図である。
【図７】表示部における表示例を示す図である。
【図８】表示部における表示例を示す図である。
【図９】第１分析システムからサーバへの画像転送処理のフローチャートである。
【図１０】図９のステップＳ４０のサブルーチンのフローチャートである。
【図１１】第２の実施の形態の臨床検査システムにおける成分データベースの構成の一例を模式的に示す図である。
【図１２】第２の実施の形態における図９のステップＳ４０（画像の選択）のサブルーチンのフローチャートである。
【図１３】第３の実施の形態における図９のステップＳ４０（画像の選択）のサブルーチンのフローチャートである。
【図１４】第４の実施の形態における図９のステップＳ４０（画像の選択）のサブルーチンのフローチャートである。
【発明を実施するための形態】
【００２３】
以下、図面を参照しつつ、臨床検査システムの実施の形態について説明する。以下の説明では、同一の部品には同一の符号を付してある。それらの名称および機能も同じである。したがって、それらについての詳細な説明は繰り返さない。
【００２４】
［第１の実施の形態］
（臨床検査システムの全体構成）
図１は、臨床検査システムの構成を概略的に示す図である。図１に示されるように、臨床検査システム５００は、４つの分析システム（第１分析システム１０、第２分析システム２０、第３分析システム３０、および、第４分析システム４０）を含む。また、臨床検査システム５００は、第１〜第４分析システム１０〜４０を統括する総合システム５０を含む。第１分析システム１０は、サーバ９０を介して、総合システム５０と通信可能である。第２〜第４分析システム２０〜４０も、それぞれ、総合システム５０と通信可能である。
【００２５】
臨床検査システム５００では、第１分析システム１０は、試料の画像を処理するための画像処理装置を含む。第１分析システム１０は、当該画像処理装置において撮影された画像を、サーバ９０を介して、総合システム５０へ送信する。総合システム５０は、第１分析システム１０から受信した画像を蓄積する。第１〜第４分析システム１０〜４０は、総合システム５０にアクセスすることにより、総合システム５０に蓄積された画像を利用して、各システムが目的とする検査結果を導出することができる。
【００２６】
本明細書において、「試料」という文言は、有形成分を含む可能性があり、臨床検査システム５００のユーザ（たとえば、医師）が検査を希望する、あらゆる試料を意味することが意図される。たとえば、「試料」は、生物から取得される生体試料や非生物学的な試料を含む。生体試料は、特定の試料に限定されるものではなく、たとえば、全血液、脊髄液、前立腺液、尿、腹水、関節液、涙液、唾液、血清、血漿などである。特に、尿は、たとえば、原尿、濃縮尿、尿沈渣等、尿そのものだけでなく、当該尿が加工されたものをも含むことが意図される。また、非生物学的な試料としては、非生物学的性質の他の流体試料、たとえば水質検査用・環境調査用等の試料等を挙げることができる。
【００２７】
本明細書において、「有形成分」とは、試料中に含まれる有形の固体成分であればよく、その他の具体的な構成については限定されない。生体試料中の有形成分の具体例としては、たとえば、生体試料中に分散し、または、生体試料を懸濁するものであればよい。たとえば、生体試料として尿を用いた場合、「有形成分」の具体例としては、正常赤血球、変形赤血球などの赤血球群、Ｐａｌｅ細胞、Ｄａｒｋ細胞、Ｇｌｉｔｔｅｒ細胞などの白血球群、扁平上皮、移行上皮、尿細管上皮、円柱上皮などの上皮群、硝子円柱、顆粒円柱、ろう様円柱、上皮円柱、赤血球円柱、白血球円柱、脂肪円柱、空胞変性円柱、ヘモグロビン円柱、ヘモジデリン円柱、ミオグロビン円柱、ビリルビン円柱、アミロイド円柱、Ｂｅｎｃｅ Ｊｏｎｅｓ円柱、血小板円柱、細菌円柱、塩類円柱、結晶円柱、幅広円柱などの円柱群、球菌、桿菌、真菌、酵母用真菌などの菌類、トリコモナス原虫、マラリア原虫、ダニなどの寄生虫群、シュウ酸カルシウム結晶、尿酸結晶、尿酸塩、尿酸アンモニウム結晶、リン酸カルシウム結晶、リン酸アンモニウムマグネシウム結晶、ビリルビン結晶、チロシン結晶、ロイシン結晶、シスチン結晶、コレステロール結晶、２，８−ジヒドロキシアデニン（ＤＨＡ）結晶、炭酸カルシウム結晶、外因性結晶などの結晶群、無晶性尿酸塩、無晶性リン酸塩などの無晶性塩類、卵円形脂肪体、脂肪球、細胞質内封入体、核内封入体、精子、マクロファージなどを挙げることができる。
【００２８】
第１の実施の形態では、第１分析システム１０の画像処理装置は、試料について複数の画像を撮影する。当該複数の画像は、好ましくは互いに視野が重ならないように撮影される。当該複数の画像の撮影によって生成される画像のそれぞれを、本明細書では「部分画像」と呼ぶ。視野が「重ならない」とは、互いに共通部分を全く持たない場合のみならず、互いの視野の少なくとも一部が重ならない場合をも含み得る。
【００２９】
図２は、部分画像の一例を説明するための図である。図２において、画像処理装置における試料の全体的な視野が全体視野２００として示されている。図２では、全体視野２００が部分視野２０１〜２０９に分割されて示されている。部分視野２０１〜２０９のそれぞれが撮影されることによって生成されるそれぞれの部分視野に対応する複数の画像が、「複数の部分画像」の一例である。図２では、全体視野および部分視野が、正方形で示されているが、これらの形状は正方形に限定されない。
【００３０】
図２に示された例では、部分視野２０１の左上の領域には、丸型の図形で示された有形成分が示されている。部分視野２０４の右下の領域には、星型の図形で示された有形成分が示されている。部分視野２０６の右上の領域には、三角形の図形で示された有形成分が示されている。部分視野２０２，２０３，２０５，２０７，２０８，２０９は、有形成分を含まない。各図形は、たとえば赤血球または白血球などの有形成分に対応する。
【００３１】
第１分析システム１０の画像処理装置は、全体視野２００について部分視野２０１〜２０９のそれぞれに対応する部分画像を生成し、さらに、複数の部分画像を合成することによって「合成画像」を生成する。
【００３２】
図３は、部分画像および合成画像の関係の一例を説明するための図である。図３において、部分視野２０１〜２０９のそれぞれに対応する部分画像は、部分画像３０１〜３０９として示されている。部分画像３０１〜３０９が合成されることによって生成される合成画像は、合成画像３１０として示されている。合成画像３１０は、部分視野２０１（部分画像３０１）中の丸型の図形と、部分視野２０４（部分画像３０４）中の星型の図形と、部分視野２０６（部分画像３０６）中の三角形の図形とを含む。
【００３３】
以下に、部分画像および合成画像のそれぞれの生成の態様の一例を説明する。
（部分画像の生成）
部分画像の撮影方法は特に限定されない。たとえば、以下のような方法が例示される。
【００３４】
まず、透光板上に試料を適量を滴下し、その上にカバーグラスを重ねて置き、プレパラートを作製する。透光板の材質としては限定されず、ガラスやプラスチック製のものが好適に使用できる。プレパラートを作製する際に、有形成分を必要に応じて染色してもよい。
【００３５】
画像処理装置は、このプレパラートを、たとえば、ＣＣＤ（Charge-Coupled  Device）イメージセンサ、３ＣＣＤイメージセンサ、ＣＭＯＳ（Complementary  Metal-Oxide  Semiconductor）イメージセンサなどに代表されるカメラ装置で撮影し、デジタルデータの電気信号に変換し、赤（Ｒ）、緑（Ｇ）、青（Ｂ）の３原色で構成された格子状の画像（ビットマップ画像）として、半導体メモリや固定磁気ディスク等の記憶装置に保存する。これらのカメラ装置はオートフォーカス機能を有することが好ましい。
【００３６】
１枚の部分画像として撮影されるプレパラートの面積は特に限定されないが、撮影するカメラの解像度やレンズなどの倍率に依存する。たとえば、生物顕微鏡（オリンパス光学社製ＢＸ−５０）に２０倍の対物レンズを装着して、ＣＣＤカメラ（ソニー社製ＸＣ−００３）で撮影する場合には被写体の撮影範囲が０．０４３２ｍｍ２となる（横０．２４ｍｍ、縦０．１８ｍｍ）。
【００３７】
１つの試料に対する部分画像の撮影の際には、プレート面と平行にカメラまたは被写体を移動する。移動は、各部分画像のプレパラートを撮影した撮影視野が重複しないように、別部分を上記同様に撮影し、保存する。撮影視野が重ならないよう被写体を移動する方法は、手動で行なわれてもよいし、機械的な動力が利用されても良い。機械的な動力の具体例としては、たとえば、ステッピングモータ、サーボモータやリニアモータなどを利用した機構が挙げられる。
【００３８】
画像処理装置は、上記のように撮影された複数の部分画像を記憶装置に保存する。１つの試料に対して撮影される部分画像の枚数は、２枚以上で任意に決められる。たとえば、試料中に含まれることが想定される有形成分の量が極めて少ない場合、遠心操作を行い濃縮させた状態で実施する用手検査と同程度の正確性および精密性を保証するために、当該枚数は、通常５〜５００枚とされる。再現性や作業効率の観点から、当該枚数は、１０〜２００枚の範囲で選択されるのが好適である。
【００３９】
各部分画像について、撮影視野においてカメラから得られた画像の電気信号を記憶装置に保存する方法としては、特に制限なく、公知の技術を使用することができる。当該方法としては、たとえば、赤（Ｒ）、緑（Ｇ）、青（Ｂ）の３原色で構成される小さな光の点の格子状の並び（ビットマップ画像）として記録する方法が一般的である。より具体的には、ＣＣＤカメラより得られた画像の電気信号をコンピュータに取りつけられたキャプチャーボード回路によって量子化し、部分画像をビットマップ画像としてコンピュータ上の記憶装置に保存する方法が挙げられる。
【００４０】
（画像処理装置のハードウェア構成）
図４は、第１分析システム１０の画像処理装置のハードウェア構成の一例を示す図である。図４に示されるように、画像処理装置は、中央処理部１１と、撮像部１２と、記憶部１３と、入力部１４と、入出力インタフェース１５と、表示部１６とを含む。なお、図４に示された構成は、単なる一例である。第１の実施の形態の画像処理装置の構成が図４に示されたものに限定されないことを、念のため付言しておく。
【００４１】
中央処理部１１は、画像処理装置の各部の動作を制御する制御手段として機能する。より具体的には、中央処理部１１は、本明細書に記載された制御を実現するプログラムの命令を実行するＣＰＵ（Central  Processing  Unit）、上記プログラムを格納したＲＯＭ（Read  Only  Memory）、および、上記プログラムを展開するＲＡＭ（Random  Access  Memory）を含む。ここで言うプログラムは、第１分析システム１０の制御プログラムのプログラムコード（実行形式プログラム、中間コードプログラム、ソースプログラム）をコンピュータで読み取り可能に記録した記録媒体を、第１分析システム１０に供給し、そのコンピュータ（またはＣＰＵやＭＰＵ）が記録媒体に記録されているプログラムコードを読み出し実行することによっても、達成可能である。
【００４２】
上記記録媒体の具体例としては、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００４３】
また、第１分析システム１０を通信ネットワークと接続可能に構成し、上記プログラムコードを、通信ネットワークを介して供給してもよい。この通信ネットワークは、特定の種類のネットワークに限定されない。通信ネットワークとして、たとえば、インターネット、イントラネット、エキストラネット、ＬＡＮ、ＩＳＤＮ、ＶＡＮ、ＣＡＴＶ通信網、仮想専用網（ｖｉｒｔｕａｌ ｐｒｉｖａｔｅ ｎｅｔｗｏｒｋ）、電話回線網、移動体通信網、衛星通信網等が利用可能である。また、通信ネットワークを構成する伝送媒体は、特定の種類の媒体に限定されない。伝送媒体として、たとえば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本開示の中央処理部１１によって実行されるプログラムは、上記プログラムコードが電子的な伝送で具現化された、搬送波に埋め込まれたコンピュータデータ信号の形態でも実現され得る。
【００４４】
撮像部１２は、ステージを備える。当該ステージ上には、プレパラートが載置される。プレパラートは、スライドガラスとカバーガラスとを含む。試料は、スライドガラスとカバーガラスの間に保持される。ステージは、プレパラートを載置するための試料搭載手段として機能する。かかるステージとしては、たとえば、従来公知の顕微鏡等に用いられる試料ステージを好適に用いることができ、その具体的な構成については特に限定されない。また、ステージは、視野移動を目的としてｘ，ｙ軸方向へ移動可能であり、また焦点調節を目的としてｚ軸方向へ移動可能であるという３次元の移動が可能なように構成されているものであればよい。なお、ステージの３次元移動は、後述する駆動部によって駆動される構成であればよい。
【００４５】
撮像部１２は、光源を備える。光源は、上記ステージの下方に配置されており、試料の下方から光を照射することにより、第１分析システム１０の分析動作や撮像部１２の撮影に対して十分な光量を提供できるものであればよく、従来公知の光源によって実現される。光源の具体的な構成は特に限定されるものではなく、たとえば、ハロゲンランプ、キセノンランプ、タングステンランプ、発光ダイオード等である。これらの中でも、光源寿命の長い発光ダイオードがより好ましい。
【００４６】
スライドガラスとカバーガラスとしては、従来公知のプレパラートに使用可能なものを用いることができ、その具体的な構成は特に限定されるものではない。たとえば、東洋紡績製のＵ−ＳＣＡＮＮＥＲ（登録商標）専用スライドを好適に用いることができる。
【００４７】
撮像部１２は、対物レンズを備える。当該対物レンズは、ステージ上の試料を観察するための対物レンズであればよく、その具体的な構成は特に限定されず、従来公知のレンズを用いることができる。
【００４８】
撮像部１２は、合焦検出部を備える。合焦検出部は、対物レンズの合焦状態、特に、試料に対する合焦状態を検出する。合焦状態を検出する手法については、特に限定されるものではなく、公知の合焦状態の検出手法を利用することができる。たとえば、合焦検出部は、自動合焦動作中における輝度レベルの分散値を評価値として決め、この評価値が最小値となるときを検出し、その最小値となったときの対物レンズの位置を合焦状態であると判断するように構成され得る。なお、合焦状態の検出手法については、後述の自動合焦部についての説明時でも詳説する。
【００４９】
撮像部１２は、駆動部を備える。駆動部は、対物レンズと試料と相対位置を３次元方向に変動させる。換言すれば、当該駆動部は、ステージと対物レンズとの間の相対位置を３次元方向に変動させる。かかる駆動部としては、従来公知の駆動手段が採用され得、たとえば、サーボモータ、ステッピングモータまたはリニアモーターなどの、機械的に駆動するものが採用され得る。
【００５０】
また、第１の実施の形態では、駆動部は、ステージを移動させることにより、対物レンズと試料との間の相対位置を変動させたが、駆動部の構成はこれに限定されない。当該駆動部は、対物レンズを駆動させてもよいし、対物レンズとステージの両方を駆動させてもよい。ただし、構成の容易さ、駆動の安定性等の観点から、ステージを駆動させる構成が好ましい。
【００５１】
自動合焦部は、合焦検出部の検出結果に基づいて、駆動部を制御することにより、対物レンズを自動的に合焦させる。自動合焦部が行う自動合焦動作の方式としては、従来公知の自動合焦方式を採用することができる。自動合焦部の具体的な構成については、特定の構成に限定されず、たとえば、アクティブオートフォーカス方式、パッシブオートフォーカス方式の両方であり得るが、好ましくは、パッシブオートフォーカス方式である。
【００５２】
また、上記パッシブオートフォーカス方式を用いた場合における、具体的な合焦状態の検出方法としては、（ｉ）撮影対象の光強度を電気信号に変換して、電気信号の変化を利用して合焦点を検出する方法、（ｉｉ）位相差検出を行い、位相差解析を利用して合焦点を検出する方法、（ｉｉｉ）光源とは別に補助発光装置を内蔵し撮影対象からの反射光を測定することで距離換算し、算出された距離に基づいて合焦点を検出する方法などが挙げられる。これらの中でも、好ましくは、撮影対象の光強度を電気信号に変換して、電気信号の変化を利用して合焦点を検出する方法である。さらにいえば、撮影対象となる画像撮影用の撮像素子の光強度をコントラストとしてとらえ、コントラストの高周波成分の検出で行う方式、いわゆるコントラスト方式であることが好ましい。すなわち、自動合焦部による自動合焦動作は、コントラスト方式自動合焦点調節機能により行われることが好ましい。
【００５３】
また、上記（ｉｉ）位相差解析を利用する方法としては、銀塩フィルム、光電子変換素子等の撮像素子を配置する撮像面と等価な面の近傍に、ラインセンサ等の撮影画像検出用センサを一対または複数対配置して対物レンズを透過した光のうち異なる部位の光束を異なるセンサに導き、対を成すセンサ上の撮影対象の位置のずれから対物レンズの焦点を検出する位相差検出方式が挙げられる。
【００５４】
さらに、上記（ｉｉｉ）撮影対象からの反射光よりカメラから撮影対象までの距離を算出し、算出された距離に基づいて合焦点を検出する方法としては、赤外線等の補助光を発光する装置を内蔵し、撮影対象から反射された赤外線の入射角度を距離に換算する三角測量に基づいて撮影対象との距離の絶対値を算出する赤外線方式が挙げられる。
【００５５】
つまり、上述した合焦検出部は、自動合焦部の自動合焦方式に合わせて、上述した合焦状態の検出方法のうち、適切な手法を選択し構成することができる。
【００５６】
また、第１の実施の形態では、自動合焦部は、駆動部を制御して、ステージを駆動することで、対物レンズと試料とのｚ軸方向の相対距離を変動させて自動合焦動作を行う構成である。このステージの移動方式としては、（ｉ）連続的な移動方式と、（ｉｉ）一定距離ずつ移動する段階的な移動方式とが採用可能であり、どちらの方式が選択されるかについて、特に限定されるものではない。また、どちらの方式が選択されても、その具体的な移動方法については従来公知のものを用いることができ、特に限定されない。たとえば、（ｉ）連続的な移動方式としては、ステージを極めて微小な所定周期毎に移動させ、各周期で、焦点状態を評価し、最も良好な焦点状態を示す位置を合焦状態と設定する方式を挙げることができる。一方、（ｉｉ）段階的な移動方式としては、予め定めた複数の位置にオフセット駆動を行い、その中での焦点状態を評価し、最も良好な焦点状態を示す移動位置を合焦点状態と設定する方式を挙げることができる。
【００５７】
なお、第１の実施の形態では図示されないが、第１分析システム１０は、試料を採取し、プレパラートに分注する分注部と、プレパラートを供給するプレパラート供給部と、プレパラートをステージまで搬送する搬送部とを備えていてもよい。より好ましくは、第１分析システム１０は、これらの部材に加え、試料を採取した容器を複数架設するためのラックを保持するラック保持部と、当該ラックを装置内で搬送するためのラック搬送部とを備えていてもよい。上記の各部を備えることにより、第１分析システム１０によれば、試料をセットするだけで試料の採取から結果表示まで自動で実施することが可能となる。上記各部としては、従来公知の自動分析装置に用いられる部材を用いることができ、その具体的な構成については特に限定されるものではない。第１分析システム１０は、たとえば、東洋紡製のＵ−ＳＣＡＮＮＥＲ（登録商標）に用いられる各種部材を備えることができる。
【００５８】
中央処理部１１は、たとえば、撮像部１２の自動合焦部および／または駆動部を制御することにより、スライドガラスとカバーガラスとの間における自動合焦動作を実行する。自動合焦動作は、所定の分析開始位置から予め設定された分析終了位置までの範囲で行なわれる。「分析開始位置」と「分析終了位置」とは、スライドガラスとカバーガラスとの間の鉛直方向の高さ位置（ｚ軸上の位置）が異なるが、水平位置（ｘｙ軸上の位置）は同一な位置である。また、分析開始位置・分析終了位置の具体的な位置については、ユーザが検査目的や検査対象等に応じて任意に設定可能であり、特に限定されるものではない。
【００５９】
中央処理部１１は、試料中に有形成分が存在するか否かを判定する判定手段としても機能する。中央処理部１１は、たとえば、上記自動合焦動作において、合焦検出部によって合焦状態が検出された場合、当該合焦位置に有形成分が存在すると判定する。
【００６０】
撮像部１２は、試料の画像を取得するための撮像手段として機能する。たとえば、撮像部１２は、中央処理部１１によって有形成分が存在すると判定されたときの合焦位置において、試料の画像を取得することが好ましい。また、撮像部１２は、中央処理部１１によって当該撮像部１２のその時点での撮影視野内には有形成分が存在しないと判定された場合、上記自動合焦動作が完了した分析終了位置において、試料の画像を取得することが好ましい。
【００６１】
撮像部１２の撮像手段としては、公知のものを採用することができ、その具体的な構成については特に限定されるものではない。当該撮像手段としては、たとえば、光に反応する半導体素子を使って映像を電気信号に変換し、デジタルデータとして記憶媒体に記憶することができる撮像手段が採用されることが好ましい。かかる撮像手段としては、たとえば、デジタルスチルカメラ、デジタルビデオカメラ、ＣＣＤデジタルカメラ、及びＣＭＯＳデジタルカメラ等を挙げることができる。
【００６２】
中央処理部１１は、撮像部１２によって取得された画像に基づき、試料中の有形成分を分類する分類手段として機能し得る。中央処理部１１は、試料中に含まれる有形成分を撮像部１２により撮影した画像を基に、自動で分類及び／又は計測する有形成分分類手段として機能するものと換言できる。中央処理部１１による具体的な分類動作としては、従来公知の分類手法を利用することができ、特に限定されるものではない。
【００６３】
たとえば、中央処理部１１は、有形成分の大きさ、形態、色などに基づいて分類する分類プログラムを実行することによって、上記分類動作を実現し得る。当該分類プログラムは、コンピュータソフトウェアとして提供され得る。当該ソフトウェアは、第１分析システム１０の出荷時に予め第１分析システム１０内にインストールされていても良いし、出荷後に、第１分析システム１０の操作者によってダウンロードされてインストールされても良い。上記分類プログラムは、たとえば、撮影した有形成分において、（ｉ）ＲＧＢ値を明度と色度に分離する色抽出工程、（ｉｉ）穴埋め、線分の書き込み、画像の分離からなる２値画像処理工程、（ｉｉｉ）面積、円形度係数、円相当径、周囲長、絶対最大量、フェレ径Ｘ／Ｙ比、最大弦長Ｘ／Ｙ比、短軸長／長軸長比等の特徴量算出工程を実施し、予め設定しておいた有形成分の設定値と比較することで分類するものであることが好ましい。さらに上記分類プログラムは、最適な分類ができるように、学習機能を有していることが好ましい。かかる分類プログラムとしては、たとえば、上記特許文献１に開示のものを利用することができる。
【００６４】
記憶部１３は、撮像部１２によって撮影された画像、上記分類プログラム、および、第１分析システム１０において生成された分析結果等の、各種データを格納するための記憶装置である。かかる記憶部１３としては、従来公知のメモリ、記憶部材を用いることができ、その具体的な構成については特に限定されるものではない。また、ハードディスクのように内蔵型であってもよいし、外部記憶装置等の外付型であっても構わない。すなわち、記憶部１３としては、たとえばハードディスク、光磁気ディスク、ＤＶＤ（Digital  Versatile  Disc）、ＣＤ−ＲＯＭ（Compact  Disc  Read  Only  Memory）、フラッシュメモリ、デジタルビデオディスク等を用いることができる。
【００６５】
入力部１４は、第１分析システム１０に対する情報の入力のインタフェースであり、たとえば、キーボード、マウス、および／または、ボタンによって実現される。また、入力部１４は、外部から入力された音声を解析し、当該解析結果を入力情報として受け付ける機構によって実現される場合もあり得る。当該音声の解析手法としては、公知の音声解析技術が採用され得る。
【００６６】
入出力インタフェース１５は、第１分析システム１０が他の装置と通信するときのインタフェースであり、たとえばネットワークインタフェースカードによって実現される。
【００６７】
表示部１６は、自動合焦動作等の機械動作、取得した画像の一覧表示や取得した画像を合成した画像の表示、画像及び計測結果の保存等の各手段・部材についての付帯制御、並びに、分析結果・分類結果等の第１分析システム１０に関する各種の情報を表示する。表示部１６は、公知のディスプレイによって実現される。なお、第１分析システム１０では、メニュー選択によって、測定結果および画像データの他に、時刻、現在の装置の状況（各検体の測定状況、各検体又は選択した検体の測定終了予定時刻もしくは必要残時間、廃液タンクの廃液量、純水タンクの残量、各試薬の残量、または洗剤の残量）等を表示部１６に表示する機能を備えていても良いし、選択指定した情報のみを離れた場所から読み取れるように表示部１６において拡大表示する機能を備えていても良い。なお、表示部１６は、必要に応じて、従来公知の印刷手段を備えて、必要な情報をハードコピー（紙等）として出力しても良い。
【００６８】
（第１分析システムにおける分析動作の具体例）
次に、第１分析システム１０における分析動作の一具体例を説明する。なお、以下、説明の便宜上、第１の実施の形態では、尿中の有形成分を分析する場合を例に挙げて説明する。勿論、第１分析システム１０の分析対象は、これに限定されるものではない。
【００６９】
最初に、試料のプレパラートを作成する手順から説明する。まず、不図示の容器（たとえば、試験管）を複数架設するラックから、試料の一例である尿を、所定の反応槽（不図示）に必要量分注する。このとき、均一な試料を分注するため、尿を攪拌操作後に採取し、分注してもよい。また、予めバーコードなど個体識別手段が貼付してある容器を用いる場合はバーコード読取装置にて分注時に読み取ることができる。
【００７０】
次に、尿中の有形成分を染色するための染色液（たとえば、東洋紡績製のＵ−ＳＣＡＮＮＥＲ（登録商標）専用染色液）を上記反応槽に分注し、尿中有形成分の染色を実施する。反応槽中にて、よく混和後、反応槽から染色後の尿を一定量採取し、スライドガラスに分注し、カバーガラスを載置して、均一に展開させるために数分静置して、試料が保持されたプレパラートを作成する。
【００７１】
上述の手順で作成されたプレパラートをステージに載置する。上述したように、ステージは、プレパラートをｘｙｚ軸座標方向、すなわち３次元方向に自在に移動・停止できるように構成されている。プレパラートをステージに載置後、光源からの照射光をプレパラートに集光させる。ステージが駆動し、撮影視野が重複しないように５０枚の部分画像が撮影される。
【００７２】
（部分画像の撮影の実施例）
部分画像の撮影の一実施例を説明する。
【００７３】
尿カップに採取された尿を、ピペットにより２５マイクロリットル分取し、縦２６ｍｍ横７６ｍｍ厚み１．５ｍｍのプレート上に２５マイクロリットル滴下した。滴下した尿の上に縦２２ｍｍ横２２ｍｍ厚み０．１７ｍｍのカバーグラスを載せ、尿を均一に広げ、プレパラートを作製した。
【００７４】
できあがった観察用スライドを生物顕微鏡（オリンパス社製ＢＸ−５０）の観察ステージに固定し、観察ステージを手動によりフォーカスが合うように位置を調整した。
【００７５】
顕微鏡に装着した対物レンズは、２０倍の対物レンズ（オリンパス社製ＵＰｌａｎ Ｆｌ２０ｘ）である。顕微鏡には、カメラアダプタを取り付け、ＣＣＤカメラ（ソニー社製ＸＣ−００３）を取り付けた。
【００７６】
本実施例での機器構成で得られる画像サイズは、横２４０マイクロメートル、縦１８０マイクロメートルであった。
【００７７】
観察ステージを前後左右方向に０．５ｍｍずつ移動させて、縦横１０×１０の撮影点に移動し、それぞれの撮影点において上下方向のレンズ移動を行い、スライド上の尿中有形成分に対し焦点を合わせ、ＣＣＤカメラ（ソニー社製ＸＣ−００３）を用いて撮影を行った。
【００７８】
それぞれの撮影点においてＣＣＤカメラで得られた画像の電気信号を、画像処理装置のコンピュータに取り付けられた画像取り込みキャプチャーボード回路にて量子化し、部分画像を赤（Ｒ）、緑（Ｇ）、青（Ｂ）の色の３原色のデータの格子状の集まりとして、当該コンピュータ上のＲＡＭ（Random  Access  Memory）に保存した。
【００７９】
（合成画像の生成）
第１の実施の形態の画像処理装置は、たとえば特許文献２に記載の態様で、合成画像を生成することができる。以下、合成画像の生成態様の一例について、概略的に説明する。
【００８０】
合成画像の生成の際には、第１分析システム１０の操作者によって、部分画像の種類（具体的には、面積やアスペクト比など）が任意に設定される場合があり得る。合成画像の生成に利用される複数の部分画像は、互いに、同面積でありかつ同数の画素で構成されていることが好ましい。第１の実施の形態において、合成画像を作成する処理は典型的には次の工程によって実行される。
【００８１】
有形成分を含む試料を撮影した部分画像を撮影視野が重複しないように複数枚撮影し、合成しようとする撮影した部分画像それぞれについて、画像を構成する画素ごとに、赤（Ｒ）、緑（Ｇ）、青（Ｂ）の光の３原色のそれぞれの強度を算出する。
【００８２】
次に、赤（Ｒ）、緑（Ｇ）、青（Ｂ）それぞれについて、複数の部分画像の同じ座標の画素ごとに平均値（Ｍ）を算出する。
【００８３】
次に、算出した赤（Ｒ）、緑（Ｇ）、青（Ｂ）それぞれの平均値（Ｍ）に、定数（Ａ）を加算して閾値上限値（Ｍ＋Ａ）を算出する。このときの定数は、光源のちらつきやプレパラートの製造誤差から生じるばらつきを考慮し、下限は１以上の値が好ましく、より好ましくは５以上であり、さらに好ましくは１０以上である。上限は１００以下の値が好ましく、より好ましくは５０以下、さらに好ましくは３０以下である。光源のフリッカー現象による明滅の影響を回避することができるため、定数は３０以下であることが特に好ましい。
【００８４】
同様に、算出した赤（Ｒ）、緑（Ｇ）、青（Ｂ）それぞれの平均値（Ｍ）に定数（Ａ）を減算して閾値下限値（Ｍ−Ａ）を算出する。このときの定数は、光源のちらつきやプレパラートの製造誤差から生じるばらつきを考慮し、下限は１以上の値が好ましく、より好ましくはより好ましくは５以上であり、さらに好ましくは１０以上である。上限は１００以下の値が好ましく、より好ましくは５０以下、さらに好ましくは３０以下である。光源のフリッカー現象による明滅の影響を回避することができるため、定数が３０以下であることが特に好ましい。
【００８５】
次に、合成しようとする複数の部分画像それぞれについて、同じ座標の画素ごとにその部分画像の赤（Ｒ）、緑（Ｇ）、青（Ｂ）強度と上記で算出した閾値を比較する。
【００８６】
そして、部分画像の画素のすべての光学的特徴量の強度が閾値内ならば平均値（Ｍ）を採用し、少なくとも１つの光学的特徴量の強度が閾値を越えたならば、その部分画像の、閾値を越えた光学的特徴量の強度の値を採用する。
【００８７】
すなわち、赤（Ｒ）、緑（Ｇ）、青（Ｂ）の強度のすべてが、Ｍ−Ａ＜（部分画像の画素）＜Ｍ＋Ａならば平均値（Ｍ）の色を採用する。たとえば、赤（Ｒ）のみが閾値を越えたならば、赤色の強度を持つ部分画像の画素を採用する。た、同じ座標で複数の部分画像が閾値を外れる場合は、最も平均値から外れている部分画像の画素を使用することが好ましい。
【００８８】
全画素について上記の工程を実施して１枚の合成画像を生成する。
（合成画像の生成の実施例）
合成画像の生成の実施例を説明する。
【００８９】
合成する撮影した部分画像それぞれについて、画像を構成する画素ごとに、赤（Ｒ）、緑（Ｇ）、青（Ｂ）の光の３原色のそれぞれの強度を算出する工程を実施した。
【００９０】
次に、赤（Ｒ）、緑（Ｇ）、青（Ｂ）それぞれについて、複数の部分画像の同じ座標の画素ごとに平均値（Ｍ）を算出した。
【００９１】
算出した赤（Ｒ）、緑（Ｇ）、青（Ｂ）それぞれの平均値（Ｍ）に定数（Ａ）を加算して閾値上限値（Ｍ＋Ａ）を算出した。このときの定数は、２０であった。
【００９２】
算出した赤（Ｒ）、緑（Ｇ）、青（Ｂ）それぞれの平均値（Ｍ）に定数（Ａ）を減算して閾値下限値（Ｍ−Ａ）を算出した。このときの定数は、１５であった。
【００９３】
複数の部分画像について、同じ座標の画素ごとにその部分画像の赤（Ｒ）、緑（Ｇ）、青（Ｂ）強度と算出した閾値を比較した。
【００９４】
部分画像の画素が閾値内ならば平均値（Ｍ）を採用し、閾値を越えるならばその部分画像の赤（Ｒ）、緑（Ｇ）、青（Ｂ）強度の値を採用した。すなわち、赤（Ｒ）、緑（Ｇ）、青（Ｂ）強度のすべてが、Ｍ−Ａ＜（部分画像の画素）＜Ｍ＋Ａならば平均値（Ｍ）の色を、外れるならば、その外れた色強度を持つ部分画像の画素を採用する。同じ座標で複数の部分画像が閾値を外れる場合は、最も平均値から外れている部分画像の画素を使用した。
【００９５】
全画素について上記工程を実施して、１枚の合成画像を作成した。
（成分データベース）
第１分析システム１０は、試料中に含まれ得る有形成分が登録されている成分データベースを利用する。図５は、成分データベースの構成の一例を模式的に示す図である。
【００９６】
図５に示された成分データベースでは、当該成分データベースに登録された成分のそれぞれは、成分ＩＤに関連付けられている。図５において、登録された成分は、成分ＩＤ「０００１」に関連付けられた「赤血球」と、成分ＩＤ「０００２」に関連付けられた「白血球」と、成分ＩＤ「０００３」に関連付けられた「上皮」と、成分ＩＤ「０００４」に関連付けられた「円柱」とを含む。
【００９７】
第１の実施の形態では、成分データベースは、画像処理装置の記憶部１３に格納されていても良いし、ネットワーク上で画像処理装置（第１分析システム１０）が通信可能な記憶装置に格納されていても良いし、中央処理部１１がアクセス可能な記録媒体に格納されていても良い。
【００９８】
（表示例）
第１分析システム１０では、部分画像と合成画像は、表示部１６において表示され得る。図６〜図８は、表示部１６における表示例を示す図である。なお、図６〜図８では、成分ＩＤ「０００１」で特定される成分は、丸型の図形で模式的に示される。成分ＩＤ「０００２」で特定される成分は、三角形の図形で模式的に示される。成分ＩＤ「０００３」で特定される成分は、星型の図形で模式的に示される。
【００９９】
まず図６を参照して、表示部１６に表示されるウィンドウ６００は、ボタン表示部６１０と、画像表示部６２０とを含む。ボタン表示部６１０には、ソフトウェアボタン（以下、「ボタン」と略す）６１１〜６１６が表示されている。ボタン６１１〜６１４のそれぞれは、成分データベース（図５参照）中の成分ＩＤ「０００１」〜「０００４」のそれぞれに対応する成分を含む画像を選択的に画像表示部６２０に表示するために操作される。ボタン６１５は、処理対象の試料についてのすべての部分画像を画像表示部６２０に表示するために操作される。ボタン６１６は、合成画像を画像表示部６２０に表示するために操作される。図６における画像表示部６２０には、ボタン６１５が操作されたときの内容、つまり、すべての部分画像が、部分画像６５１〜６５９として示されている。
【０１００】
図７における画像表示部６２０には、ボタン６１１が操作されたときの内容、つまり、成分ＩＤ「０００１」で特定される成分（図７では、丸型の図形）を含む部分画像が、部分画像６５１として示されている。なお、成分ＩＤ「０００１」は、合成画像にも含まれる。このため、ボタン６１１が操作されたときに、成分ＩＤ「０００１」を含む部分画像だけでなく、合成画像も、画像表示部６２０に表示されても良い。図８における画像表示部６２０には、ボタン６１６が操作されたときの内容、つまり、合成画像が、合成画像６６０として示されている。
【０１０１】
（画像転送の処理の流れ）
第１の実施の形態の第１分析システム１０は、試料を撮影することによって生成した部分画像および／または合成画像を、サーバ９０に送信する。なお、第１分析システム１０は、必ずしも、試料の撮影によって生成された部分画像および合成画像のすべてをサーバ９０に送信するのではない。第１分析システム１０は、試料の撮影によって生成された部分画像および合成画像の中から、予め定められた条件に従って選択された画像のみを、サーバ９０へ送信する。サーバ９０は、第１分析システム１０から受信した画像を、総合システム５０へ送信する。ここで、第１分析システム１０からサーバ９０への画像転送の処理の流れを説明する。
【０１０２】
図９は、第１分析システム１０からサーバ９０への画像転送処理のフローチャートである。図９を参照して、ステップＳ１０で、中央処理部１１は、撮像部１２に、処理対象の試料の部分画像を撮影させる。
【０１０３】
次に、ステップＳ２０で、中央処理部１１は、ステップＳ１０で撮影された部分画像を利用して、合成画像を生成する。
【０１０４】
次に、ステップＳ３０で、中央処理部１１は、表示部１６に、たとえば図６〜図８を参照して説明したように、部分画像および／または合成画像を表示させる。
【０１０５】
次に、ステップＳ４０で、中央処理部１１は、ステップＳ１０における撮影によって生成された部分画像およびステップＳ２０で生成された合成画像から、サーバ９０へと送信する画像を選択する。ステップＳ４０の内容は、図１０を参照して後述する。
【０１０６】
次に、ステップＳ５０で、中央処理部１１は、ステップＳ４０で選択した画像のデータを圧縮する。第１の実施の形態におけるデータの圧縮方式としては、公知のいかなる形式をも採用され得る。
【０１０７】
次に、ステップＳ６０で、中央処理部１１は、入出力インタフェース１５を介して、サーバ９０へ、ステップＳ５０で圧縮した画像データを送信する。
【０１０８】
図１０は、図９のステップＳ４０のサブルーチンのフローチャートである。図１０を参照して、ステップＳ４０の画像の選択では、中央処理部１１は、ステップＳ４１０で、変数Ｎの値を０にセットする。変数Ｎは、ステップＳ１０の撮影によって生成される部分画像のそれぞれを特定する値である。たとえば、ステップＳ１０の撮影によって、Ｍ枚の部分画像が生成される場合、変数Ｎの値によって、当該Ｍ枚の中のＮ枚目の部分画像が特定される。なお、変数Ｎの値「０」は、ステップＳ２０で生成された合成画像を特定する。
【０１０９】
次に、ステップＳ４２０で、中央処理部１１は、Ｎ枚目の部分画像（または、合成画像）が、成分データベースに登録されている成分を含むかどうかを判断する。そして、中央処理部１１は、Ｎ枚目の部分画像（または、合成画像）が、成分データベースに登録されている成分を含むと判断するとステップＳ４３０へ制御を進め（ステップＳ４２０でＹＥＳ）、含まないと判断するとステップＳ４４０へ制御を進める（ステップＳ４２０でＮＯ）。
【０１１０】
中央処理部１１は、成分データベースに登録されている成分が画像に含まれるか否かを、たとえば、当該成分に対応する画像パターンが含まれるか否かに基づいて判断する。
【０１１１】
ステップＳ４３０では、中央処理部１１は、Ｎ枚目の部分画像（または、合成画像）について、選択された画像であることを示すフラグを立てた後、ステップＳ４４０へ制御を進める。
【０１１２】
ステップＳ４４０では、中央処理部１１は、変数Ｎの値を１加算更新する。
次に、中央処理部１１は、変数Ｎの値が、部分画像の枚数である値Ｍを超えたかどうかを判断する。中央処理部１１は、変数Ｎの値がまだ値Ｍを超えていないと判断するとステップＳ４２０へ制御を戻し（ステップＳ４５０でＮＯ）、変数Ｎの値が値Ｍを超えていると判断すると図９のステップＳ４０へ制御を戻す（ステップＳ４５０でＹＥＳ）。
【０１１３】
以上、図１０を参照して説明された処理では、ステップＳ１０の撮影により生成されたすべての部分画像およびステップＳ２０で生成された合成画像の中から、成分データベースに登録されている成分を含む画像が選択される。選択された画像には、当該画像に対応するフラグが立てられる。
【０１１４】
そして、図９を参照して説明された処理では、ステップＳ５０において、フラグを立てられた画像のデータが読み出されて、圧縮される。圧縮されたデータは、ステップＳ６０で、サーバ９０へと送信される。
【０１１５】
第１の実施の形態では、すべての部分画像が成分データベースに登録された成分を含まない場合、部分画像と合成画像のいずれも、第１分析システム１０からサーバ９０（総合システム５０）に送信されない。なお、第１の実施の形態は、このような場合でも、少なくと合成画像は、第１分析システム１０からサーバ９０（総合システム５０）へと送信されるように変更される場合もあり得る。
【０１１６】
第１の実施の形態におけるステップＳ５０の画像の圧縮は、選択的なものである。つまり、第１分析システム１０は、サーバ９０に対して、圧縮されない画像を送信することもあり得る。
【０１１７】
［第２の実施の形態］
第２の実施の形態の臨床検査システムでは、成分データベースには、患者ごとに、成分が登録されている。第２の実施の形態の臨床検査システム５００の各分析システムのハードウェア構成は、第１の実施の臨床検査システム５００におけるそれらのハードウェア構成と同様とすることができる。以下、第２の実施の形態の臨床検査システムについて、第１の実施の形態の臨床検査システムからの変更点を、主に説明する。
【０１１８】
図１１は、第２の実施の形態の臨床検査システムにおける成分データベースの構成の一例を模式的に示す図である。図１１に示されるように、第２の実施の形態における成分データベースは、患者ＩＤごとに、成分ＩＤと成分とが関連付けられている。患者ＩＤは、各患者を特定する情報である。図１１の成分データベースは、過去の各患者の試料に含まれていた有形成分を、各患者に関連付ける。たとえば、図１１の成分データベースは、患者ＩＤ「Ｐ００１」の過去の検査における試料には、成分ＩＤ０００１で表される有形成分（赤血球）と、成分ＩＤ０００２で表される有形成分（白血球）とが含まれていたことを示す。
【０１１９】
図１２は、第２の実施の形態における図９のステップＳ４０（画像の選択）のサブルーチンのフローチャートである。図１２に示されたフローチャートは、図１０に示されたフローチャートに対して、ステップＳ４０２が追加され、また、図１０のステップＳ４２０がステップＳ４２２に置き換えられている。
【０１２０】
図１２を参照して、ステップＳ４０の画像の選択では、ステップＳ４０２で、中央処理部１１は、ステップＳ１０（図９参照）において部分画像を撮影された試料に対応する患者ＩＤを抽出する。第２の実施の形態では、第１分析システム１０に送られる試料には、患者ＩＤが関連付けられている。第１分析システム１０は、第１分析システム１０へと試料を送る装置から受信することにより、各試料に対応する患者ＩＤを取得しても良い。また、第１分析システム１０は、（たとえば光学的に）情報を読み取る機構を有し、試料を収容する容器に貼られたラベルに記載されている情報を当該機構で読み取ることにより、各試料に対応する患者ＩＤを取得しても良い。
【０１２１】
次に、中央処理部１１は、ステップＳ４１０で、第１の実施の形態と同様に、変数Ｎの値を０にセットする。
【０１２２】
次に、ステップＳ４２２で、中央処理部１１は、図１１に示されたような成分データベースにおいて、処理対象の部分画像（または合成画像）が、ステップＳ４０２で取得した患者ＩＤに関連付けられている成分を含むか否かを判断する。中央処理部１１は、処理対象の部分画像（または合成画像）が当該成分を含むと判断するとステップＳ４３０へ制御を進め（ステップＳ４２２でＹＥＳ）、含まないと判断するとステップＳ４４０へ制御を進める（ステップＳ４２２でＮＯ）。
【０１２３】
その後、中央処理部１１は、第１の実施の形態と同様に、ステップＳ４３０で、処理対象の部分画像（または合成画像）についてのフラグを立ててステップＳ４４０へ制御を進める。
【０１２４】
ステップＳ４４０では、中央処理部１１は、変数Ｎの値を１加算更新する。
ステップＳ４５０では、中央処理部１１は、変数Ｎの値が部分画像の数を示す値Ｍを超えているか否かを判断する。中央処理部１１は、変数Ｎの値が値Ｍを超えていないと判断するとステップＳ４２２へ制御を戻し（ステップＳ４５０でＮＯ）、超えていると判断するとステップＳ４０（図９）へ制御を戻す（ステップＳ４５０でＹＥＳ）。
【０１２５】
［第３の実施の形態］
第３の実施の形態の臨床検査システムでは、ステップＳ１０の撮影によって生成される部分画像とステップＳ２０で生成される合成画像の中から外部へ送信される画像を選択するための条件が、外部から入力される。当該条件は、たとえば入力部１４（図４参照）を介して入力される。なお、当該条件は、第１分析システム１０の外部の装置から入力される場合もあり得る。入力された条件を特定する情報は、画像処理装置の記憶部１３に格納されていても良いし、ネットワーク上で画像処理装置（第１分析システム１０）が通信可能な記憶装置に格納されていても良いし、中央処理部１１がアクセス可能な記録媒体に格納されていても良い。
【０１２６】
第３の実施の形態の臨床検査システム５００の各分析システムのハードウェア構成は、第１の実施の臨床検査システム５００におけるそれらのハードウェア構成と同様とすることができる。以下、第３の実施の形態の臨床検査システムについて、第１の実施の形態の臨床検査システムからの変更点を、主に説明する。
【０１２７】
図１３は、第３の実施の形態における図９のステップＳ４０（画像の選択）のサブルーチンのフローチャートである。図１３に示されたフローチャートは、ステップＳ４６２とステップＳ４６４とステップＳ４６６とを含む。
【０１２８】
図１３を参照して、ステップＳ４０の画像の選択では、ステップＳ４６２で、中央処理部１１は、上記した条件を読み出す。
【０１２９】
次に、ステップＳ４６４で、中央処理部１１は、ステップＳ４６２で読み出された選択の条件に従って、ステップＳ１０の撮影によって生成された部分画像およびステップＳ２０で生成された合成画像の中から画像を選択する。当該選択の条件は、たとえば、いかなる条件でもあり得、たとえば、特定の成分を含むこと、複数の指定された成分の組み合わせを含むこと、もしくは、特定の数（種類および／または量）以上特定の成分を含むこと、または、これらの組み合わせであっても良い。
【０１３０】
次に、ステップＳ４６６で、中央処理部１１は、ステップＳ４６４で選択した画像についてのフラグを立てた後、制御を図９のステップＳ４０へリターンさせる。
【０１３１】
［第４の実施の形態］
第４の実施の形態の臨床検査システムでは、第３の実施の形態において入力された画像の選択条件が、患者ごとに入力され、登録されている。「患者ごと」とは、患者ＩＤごとに条件が登録されていることだけではなく、患者ＩＤごとに対応する患者の特性（たとえば、年齢、性別、病歴、等）ごとに条件が登録されていることをも意味し得る。
【０１３２】
第４の実施の形態の臨床検査システム５００の各分析システムのハードウェア構成は、第３の実施の臨床検査システム５００におけるそれらのハードウェア構成と同様とすることができる。以下、第４の実施の形態の臨床検査システムについて、第３の実施の形態の臨床検査システムからの変更点を、主に説明する。
【０１３３】
図１４は、第４の実施の形態における図９のステップＳ４０（画像の選択）のサブルーチンのフローチャートである。図１４に示されたフローチャートでは、図１３のステップＳ４６２が、ステップＳ４６１とステップＳ４６３に置き換えられている。
【０１３４】
図１４を参照して、ステップＳ４６１で、中央処理部１１は、ステップＳ１０（図９参照）で部分画像を撮影された試料に対応する患者ＩＤを抽出する。当該患者ＩＤの抽出は、たとえば、ステップＳ４０２（図１２参照）と同様の動作である。
【０１３５】
次に、ステップＳ４６３で、中央処理部１１は、ステップＳ４６１で抽出した患者ＩＤに対応する画像の選択の条件を読み出す。当該条件の読み出しは、患者ＩＤに関連付けられている条件を読み出すことだけでなく、患者ＩＤに関連付けられている患者の特性（年齢、性別、病歴等）を取得し、当該取得した特性に関連付けられた条件を読み出すことをも含み得る。
【０１３６】
次に、ステップＳ４６４で、中央処理部１１は、ステップＳ４６２で読み出された選択の条件に従って、ステップＳ１０の撮影によって生成された部分画像およびステップＳ２０で生成された合成画像の中から画像を選択する。
【０１３７】
次に、ステップＳ４６６で、中央処理部１１は、ステップＳ４６４で選択した画像についてのフラグを立てた後、制御を図９のステップＳ４０へリターンさせる。
【０１３８】
今回開示された実施の形態およびその変形例はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０１３９】
１０  第１分析システム、１１  中央処理部、１２  撮像部、１３  記憶部、１４  入力部、１５  入出力インタフェース、１６  表示部、２０  第２分析システム、３０  第３分析システム、４０  第４分析システム、５０  総合システム、９０  サーバ、２００  全体視野、２０１〜２０９  部分視野、３０１〜３０９  部分画像、３１０  合成画像、５００  臨床検査システム。
【図１】
2015118608.tif 000003
【図２】
2015118608.tif 000004
【図３】
2015118608.tif 000005
【図４】
2015118608.tif 000006
【図５】
2015118608.tif 000007
【図６】
2015118608.tif 000008
【図７】
2015118608.tif 000009
【図８】
2015118608.tif 000010
【図９】
2015118608.tif 000011
【図１０】
2015118608.tif 000012
【図１１】
2015118608.tif 000013
【図１２】
2015118608.tif 000014
【図１３】
2015118608.tif 000015
【図１４】
2015118608.tif 000016